(57)【要約】      （修正有）【課題】玩具ブロックの楽しみに優れるパズル式玩具ブロックを提供する。【解決手段】パズル式玩具ブロックは、上面に挿設凸部１１が凸設され、底面に挿設凹部が形成され、４つの外周面にそれぞれ第一側面１３、第二側面１４、第三側面１５、第四側面１６が設けられる少なくとも４つのブロック部材１０と、それらのブロック部材における、第一側面に第一部分パターンが、第二側面に第二部分パターンが、第三側面に第三部分パターンが、第四側面に第四部分パターンが設けられ、それらの第一側面が対応するように組み立てる時に、第一パターンを表し、それらの第二側面が対応するように組み立てる時に、第二パターンを表し、それらの第三側面が対応するように組み立てる時に、第三パターンを表し、それらの第四側面が対応するように組み立てる時に、第四パターンを表す。【選択図】図５
0003188706.tif 000002
【実用新案登録請求の範囲】
【請求項１】
上面に少なくとも２つの挿設凸部が凸設され、底面の該挿設凸部と対応する箇所に少なくとも２つの挿設凹部が形成され、４つの外周面にそれぞれ第一側面、第二側面、第三側面、第四側面が設けられる少なくとも４つのブロック部材と、
それらのブロック部材における、第一側面に第一パターンが、第二側面に第二パターンが、第三側面に第三パターンが、第四側面に第四パターンが設けられる４つのパターンと、を有し、
その内、それらの第一側面が対応するように組み立てる時に、第一パターンを表し、それらの第二側面が対応するように組み立てる時に、第二パターンを表し、それらの第三側面が対応するように組み立てる時に、第三パターンを表し、それらの第四側面が対応するように組み立てる時に、第四パターンを表すことを特徴とするパズル式玩具ブロック。
【請求項２】
前記ブロック部材の内部に、基板及び電極を備える電気接続部材が取り付けられることを特徴とする請求項１に記載のパズル式玩具ブロック。
【請求項３】
前記ブロック部材における、上面に４つの挿設凸部が凸設され、底面に４つの挿設凹部が形成されることを特徴とする請求項１に記載のパズル式玩具ブロック。
【請求項４】
前記第一パターンは、１つのパターンを４つの部分パターンに分け、それらの部分パターンはそれぞれ、４つのブロック部材の第一側面に設けられ、それらのブロック部材の第一側面を所定の順番に組み立てると、第一パターンを表すことを特徴とする請求項１乃至３の何れか１項に記載のパズル式玩具ブロック。
【請求項５】
前記第二パターンは、１つのパターンを４つの部分パターンに分け、それらの部分パターンはそれぞれ、４つのブロック部材の第二側面に設けられ、それらのブロック部材の第二側面を所定の順番に組み立てると、第二パターンを表すことを特徴とする請求項１乃至３の何れか１項に記載のパズル式玩具ブロック。
【請求項６】
前記第三パターンは、１つのパターンを４つの部分パターンに分け、それらの部分パターンはそれぞれ、４つのブロック部材の第三側面に設けられ、それらのブロック部材の第三側面を所定の順番に組み立てると、第三パターンを表すことを特徴とする請求項１乃至３の何れか１項に記載のパズル式玩具ブロック。
【請求項７】
前記第四パターンは、１つのパターンを４つの部分パターンに分け、それらの部分パターンはそれぞれ、４つのブロック部材の第四側面に設けられ、それらのブロック部材の第四側面を所定の順番に組み立てると、第四パターンを表すことを特徴とする請求項１乃至３の何れか１項に記載のパズル式玩具ブロック。
【考案の詳細な説明】
【技術分野】
【０００１】
本考案は、特に玩具ブロックにパターンの一部が付き、複数の玩具ブロックを順番に組み立てると、パターンを表すパズル式玩具ブロックに関するものである。
【背景技術】
【０００２】
玩具ブロックは、人間の空間概念や想像力を育て、サイズやタイプが異なるブロックを自由に組み立てられ、想像力により様々な形状を有するモジュールを作成することができ、また、玩具ブロックを何度も組み立てると、子供だけではなく、大人も創作力を高めるものである。既存の玩具ブロックは、ブロックに様々な外形を備えるが、同一の外形を有すれば、どれを使っても構わないので、ブロックの組み立ての順番が決まっていない。
【考案の概要】
【考案が解決しようとする課題】
【０００３】
しかしながら、既存の玩具ブロックは、想像力や創作力により自由に組み立てることができるが、ジグソーパズルのように所定の順番によってパターンを組み立てることが不可能であり、玩具ブロックの楽しみに劣るという欠点を有する。
【課題を解決するための手段】
【０００４】
本考案に係るパズル式玩具ブロックは、上面に少なくとも２つの挿設凸部が凸設され、底面の該挿設凸部と対応する箇所に少なくとも２つの挿設凹部が形成され、４つの外周面にそれぞれ第一側面、第二側面、第三側面、第四側面が設けられる少なくとも４つのブロック部材と、前記第一側面に第一パターンが、第二側面に第二パターンが、第三側面に第三パターンが、第四側面に第四パターンが設けられる４つのパターンと、を有するものであり、
その内、それらの第一側面が対応するように組み立てる時に、第一パターンを表し、それらの第二側面が対応するように組み立てる時に、第二パターンを表し、それらの第三側面が対応するように組み立てる時に、第三パターンを表し、それらの第四側面が対応するように組み立てる時に、第四パターンを表すことができる。
【０００５】
かかるパズル式玩具ブロックにおいて、前記ブロック部材の内部に、基板及び電極を備える電気接続部材が取り付けられることが好ましい。
【０００６】
かかるパズル式玩具ブロックにおいて、前記ブロック部材における、上面に４つの挿設凸部が凸設され、底面に４つの挿設凹部が形成されてもよい。
【０００７】
かかるパズル式玩具ブロックにおいて、前記第一パターンは、１つのパターンを４つの部分パターンに分け、それらの部分パターンはそれぞれ、４つのブロック部材の第一側面に設けられ、それらのブロック部材の第一側面を所定の順番に組み立てると、第一パターンを表すことができる。
【０００８】
かかるパズル式玩具ブロックにおいて、前記第二パターンは、１つのパターンを４つの部分パターンに分け、それらの部分パターンはそれぞれ、４つのブロック部材の第二側面に設けられ、それらのブロック部材の第二側面を所定の順番に組み立てると、第二パターンを表すことができる。
【０００９】
かかるパズル式玩具ブロックにおいて、前記第三パターンは、１つのパターンを４つの部分パターンに分け、それらの部分パターンはそれぞれ、４つのブロック部材の第三側面に設けられ、それらのブロック部材の第三側面を所定の順番に組み立てると、第三パターンを表すことができる。
【００１０】
かかるパズル式玩具ブロックにおいて、前記第四パターンは、１つのパターンを４つの部分パターンに分け、それらの部分パターンはそれぞれ、４つのブロック部材の第四側面に設けられ、それらのブロック部材の第四側面を所定の順番に組み立てると、第四パターンを表すことができる。
【考案の効果】
【００１１】
上述した構造を有すれば、複数のブロック部材の対応する面を順番に組み立てると、それらの面を組み立ててパターンを表すことができると共に、使用者も他の対応する面を順番に組み立てて好きなパターンを自由に選択することができ、玩具ブロックの楽しみに優れる。また、本考案のパズル式玩具ブロックは、タイプや数量が異なるブロック部材を組み立てても可能であり、様々なモジュールを構成することができ、玩具ブロックの組み立て方法が多様化である。
【図面の簡単な説明】
【００１２】
【図１】本考案に係るパズル式玩具ブロックにおける第一実施例の斜視図である。
【図２】本考案に係るパズル式玩具ブロックにおける第一実施例の断面図である。
【図３】本考案に係るパズル式玩具ブロックにおける第一実施例において、４つのブロック部材を組み立てた状態を示す斜視図である。
【図４】本考案に係るパズル式玩具ブロックにおける第一実施例において、４つのブロック部材を組み立てた状態を示す他の斜視図である。
【図５】本考案に係るパズル式玩具ブロックにおける第一実施例において、４つのブロック部材を組み立てる動作を示す分解斜視図である。
【図６】本考案に係るパズル式玩具ブロックにおける第一実施例において、第一パターンを組み立てた状態を示す斜視図である。
【図７】本考案に係るパズル式玩具ブロックにおける第一実施例において、第二パターンを組み立てた状態を示す斜視図である。
【図８】本考案に係るパズル式玩具ブロックにおける第一実施例において、第三パターンを組み立てた状態を示す斜視図である。
【図９】本考案に係るパズル式玩具ブロックにおける第一実施例において、第四パターンを組み立てた状態を示す斜視図である。
【図１０】本考案に係るパズル式玩具ブロックにおける第一実施例において、１２個のブロック部材を組み立た状態を示す斜視図である。
【図１１】本考案に係るパズル式玩具ブロックにおける第二実施例のブロック部材の斜視図である。
【図１２】本考案に係るパズル式玩具ブロックにおける第三実施例において、タイプが異なる複数のブロック部材を組み立てた状態を示す斜視図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１及び図２に示すように、本考案に係るパズル式玩具ブロックは、少なくとも４つのブロック部材１０と、少なくとも４つの電気接続部材２０と、４つのパターンと、少なくとも４つの電子部品４０を備え、その内、該ブロック部材１０は、内部に中空状を呈し、上面に４つの挿設凸部１１が間隔をおいて凸設され、底面の該挿設凸部１１と対応する箇所に４つの挿設凹部１２が間隔をおいて形成され、４つの外周面にそれぞれ第一側面１３、第二側面１４、第三側面１５、第四側面１６が設けられる。また、２つのブロック部材１０を組み立てる時、下側のブロック部材１０の挿設凸部１１が上側のブロック部材１０の挿設凹部１２に対応するように挿設する。
図１１に示すように、本考案における第二実施例のブロック部材１０は、上面に２つの挿設凸部１１が凸設されると共に、底面に２つの挿設凹部１２が凹設される。
【００１５】
前記電気接続部材２０は、ブロック部材１０の内部に取り付けられ、基板２１及び複数の電極２２を備える。該基板２１は、ブロック部材１０の内周面の間に取り付けられ、該電極２２はそれぞれ、上端が挿設凸部１１に、下端が挿設凹部１２に位置しながら基板２１に接触するように取り付けられ、下端に連結部２２１が設けられ、中段に接触部２２２が横方向へ延出して基板２１に接触する。２のブロック部材１０を組み立てる時、上側の電気接続部材２０が電極２２の連結部２２１により下側の電気接続部材２０の電極２２と電気接続すると共に、上側及び下側の電気接続部材２０の基板２１がそれぞれ接触部２２２に接触して電極２２に電気接続することにより互いに電気接続することができる。
【００１６】
図３及び図４に示すように、前記４つのパターンはそれぞれ、４つのブロック部材１０の第一側面１３、第二側面１４、第三側面１５、第四側面１６に設けられ、すなわち、４つのブロック部材１０の第一側面１３を組み立てて第一パターン３１を構成することができ、４つのブロック部材１０の第二側面１４を組み立てて第二パターン３２を構成することができ、４つのブロック部材１０の第三側面１５を組み立てて第三パターン３３を構成することができ、４つのブロック部材１０の第四側面１６を組み立てて第四パターン３４を構成することができる。
【００１７】
図６乃至図９に示すように、前記第一パターン３１は、１つのパターンを４つの部分パターン３１１、３１２、３１３、３１４に分け、それらの部分パターンはそれぞれ、４つのブロック部材１０の第一側面１３に設けられる。そのため、４つのブロック部材１０の第一側面１３を所定の順番に組み立てると、第一パターン３１を組み立てることができる。前記第二パターン３２は、１つのパターンを４つの部分パターン３２１、３２２、３２３、３２４に分け、それらの部分パターンはそれぞれ、４つのブロック部材１０の第二側面１４に設けられる。そのため、４つのブロック部材１０の第二側面１４を所定の順番に組み立てると、第二パターン３２を組み立てることができる。前記第三パターン３３は、１つのパターンを４つの部分パターン３３１、３３２、３３３、３３４に分け、それらの部分パターンはそれぞれ、４つのブロック部材１０の第三側面１５に設けられる。そのため、４つのブロック部材１０の第三側面１５を所定の順番に組み立てると、第三パターン３３を組み立てることができる。前記第四パターン３４は、１つのパターンを４つの部分パターン３４１、３４２、３４３、３４４に分け、それらの部分パターンはそれぞれ、４つのブロック部材１０の第四側面１６に設けられる。そのため、４つのブロック部材１０の第四側面１６を所定の順番に組み立てると、第四パターン３４を組み立てることができる。
なお、第一パターン３１、第二パターン３２、第三パターン３３、第四パターン３４を組み立てる時に、必ず４つのブロック部材１０の対応する面を所定の順番によって組み立てる。
【００１８】
前記電子部品４０は、基板２１と電気接続するようにブロック部材１０の内部に取り付けられ、基板２１からの電力により駆動することができる。本実施例における電子部品４０は、発光ダイオードまたはブザーであることが好ましく、光または音を発出することができる。
【００１９】
図１乃至図４に示すように、各ブロック部材１０における第一側面１３、第二側面１４、第三側面１５、第四側面１６にそれぞれ第一パターン３１の部分パターン、第二パターン３２の部分パターン、第三パターン３３の部分パターン、第四パターン３４のの部分パターンが設けられることから、４つのブロック部材１０を組み立てる時、それらの第一側面１３が対応するように組み立てれば、第一パターン３１の全体を表し、それらの第二側面１４が対応するように組み立てれば、第二パターン３２の全体を表し、それらの第三側面１５が対応するように組み立てれば、第三パターン３３の全体を表し、それらの第四側面１６が対応するように組み立てれば、第四パターン３４の全体を表すことができる。つまり、４つのブロック部材１０がそれぞれ対応する面を組み立てると、四つのパターンを表すことができる。さらに、ブロック部材１０内部の電子部品４０を駆動すると、その電子部品４０が光や音を発生し、玩具ブロックの楽しみに昔より優れる。
【００２０】
図１０に示すように、本考案に係るパズル式玩具ブロックにおいて、１２個のブロック部材１０を組み立てる場合には、４つのブロック部材１０を組み立ててグループとなり、１２個のブロック部材１０を３つのグループに構成することができる。また、その３つのグループはそれぞれ、間隔をおいてベースボードに組み立てられ、各グループの大面積の反対する側面に異なるパターンを表すことができる。さらに、本考案に係るパズル式玩具ブロックは、使用者の好みによって、４つのブロック部材１０の対応する面を順番に組み立てると、好きなパターンを自由に選択することができる。
【００２１】
図１２に示すように、本考案における第三実施例は、タイプが異なる複数のブロック部材１０及び複数のブロック本体１０Ａを組み立てて３つのグループを構成すると共に、それらのグループを重ねて下、中、上の３層構造を構成するものである。その内、該ブロック本体１０Ａは、上面に８つの挿設凸部１１が凸設されるタイプである。
【００２２】
また、本実施例における、下層構造は、４つのブロック部材１０を組み立てて構成し、中層構造は、５つのブロック本体１０Ａ及び２つのブロック部材１０を組み立てて構成し、上層構造は、５つのブロック本体１０Ａ及び２つのブロック部材１０を組み立てて構成する。
【００２３】
その内、下層構造は、下側に２つのブロック部材１０が前後方向に並んで配列され、上側に２つのブロック部材１０が重ねて組み立てられる。
中層構造は、下層構造の上側の２つブロック部材１０の間に重ねるように左右方向に組み立てられ、下側に３つのブロック本体１０Ａが並んで配列され、上側の最も左及び最も右にそれぞれブロック部材１０が重ねて組み立てられ、上側の中間に２つのブロック本体１０Ａが並んで組み立てられる。上層構造は、中層構造の上側の中間の２つのブロック本体１０Ａの間に重ねるように前後方向に組み立てられ、下側に３つのブロック本体１０Ａが並んで配列され、上側の最も前及び最も後にそれぞれブロック部材１０が重ねて組み立てられ、上側の中間に２つのブロック本体１０Ａが並んで組み立てられる。
【００２４】
本実施例において、本考案に係るパズル式玩具ブロックは、タイプや数量が異なるブロック部材を組み立てても可能であり、様々なモジュールを構成することができ、玩具ブロックの組み立て方法が多様化である。
【符号の説明】
【００２５】
１０、１０Ａ    ブロック部材
１１    挿設凸部
１２    挿設凹部
１３    第一側面
１４    第二側面
１５    第三側面
１６    第四側面
２０    電気接続部材
２１    基板
２２    電極
２２１  連結部
２２２  接触部
３１    第一パターン
３１１、３１２、３１３、３１４、３２１、３２２、３２３、３２４、３３１、３３２、３３３、３３４、３４１、３４２、３４３、３４４  部分パターン
３２    第二パターン
３３    第三パターン
３４    第四パターン
４０    電子部品
【図１】
0003188706.tif 000003
【図２】
0003188706.tif 000004
【図３】
0003188706.tif 000005
【図４】
0003188706.tif 000006
【図５】
0003188706.tif 000007
【図６】
0003188706.tif 000008
【図７】
0003188706.tif 000009
【図８】
0003188706.tif 000010
【図９】
0003188706.tif 000011
【図１０】
0003188706.tif 000012
【図１１】
0003188706.tif 000013
【図１２】
0003188706.tif 000014
【手続補正書】
【提出日】平成25年11月27日(2013.11.27)
【手続補正１】
【補正対象書類名】実用新案登録請求の範囲
【補正対象項目名】請求項１
【補正方法】変更
【補正の内容】
【請求項１】
上面に少なくとも２つの挿設凸部が凸設され、底面の該挿設凸部と対応する箇所に少なくとも２つの挿設凹部が形成され、４つの外周面にそれぞれ第一側面、第二側面、第三側面、第四側面が設けられる少なくとも４つのブロック部材を有し、
その内、それらのブロック部材における、前記第一側面にそれぞれ第一部分パターンが設けられ、前記第二側面にそれぞれ第二部分パターンが設けられ、前記第三側面にそれぞれ第三部分パターンが設けられ、前記第四側面にそれぞれ第四部分パターンが設けられ、
また、それらの前記第一側面が対応するように組み立てる時に、それらの前記第一部分パターンを組み立てた第一パターンが構成され、それらの前記第二部分パターンが対応するように組み立てる時に、それらの前記第二部分パターンを組み立てた第二パターンが構成され、それらの前記第三部分パターンが対応するように組み立てる時に、それらの前記第三部分パターンを組み立てた第三パターンが構成され、それらの前記第四部分パターンが対応するように組み立てる時に、それらの前記第四部分パターンを組み立てた第四パターンが構成されることを特徴とするパズル式玩具ブロック。
【手続補正２】
【補正対象書類名】明細書
【補正対象項目名】０００４
【補正方法】変更
【補正の内容】
【０００４】
本考案に係るパズル式玩具ブロックは、上面に少なくとも２つの挿設凸部が凸設され、底面の該挿設凸部と対応する箇所に少なくとも２つの挿設凹部が形成され、４つの外周面にそれぞれ第一側面、第二側面、第三側面、第四側面が設けられる少なくとも４つのブロック部材を有し、
その内、それらのブロック部材における、前記第一側面にそれぞれ第一部分パターンが設けられ、前記第二側面にそれぞれ第二部分パターンが設けられ、前記第三側面にそれぞれ第三部分パターンが設けられ、前記第四側面にそれぞれ第四部分パターンが設けられ、
また、それらの前記第一側面が対応するように組み立てる時に、それらの前記第一部分パターンを組み立てた第一パターンが構成され、それらの前記第二部分パターンが対応するように組み立てる時に、それらの前記第二部分パターンを組み立てた第二パターンが構成され、それらの前記第三部分パターンが対応するように組み立てる時に、それらの前記第三部分パターンを組み立てた第三パターンが構成され、それらの前記第四部分パターンが対応するように組み立てる時に、それらの前記第四部分パターンを組み立てた第四パターンが構成されることができる。